(57)【要約】      （修正有）【課題】金属シンクの継ぎ目が無い流し台トラップの固定構造を提供する。【解決手段】金属シンク１０のシンク底１１は排水口１２の周りに外向きのフレームリング１３を一体に延伸成型し、フレームリング１３の外回りに接続スリーブ３０を套接固定し外縁に雄ねじ３１を形成する。流し台トラップ２０の階段槽２１の開口端は、接続スリーブ３０の底端と相対し、フレーム設置部２３を形成し、フレーム設置部２３の外縁に固定カバー２４を設け、固定カバー２４内部は接続スリーブ３０の雄ねじ３１と相対する雌ねじ２４１を形成し、接続スリーブ３０の雄ねじ３１と螺合し、流し台トラップ２０のフレーム設置部２３を接続スリーブ３０の底端にロックし、フレームリング１３及び排水口１２と接続する。排水口１２を介してフレームリング１３は流し台トラップ２０の階段槽２１の開口端にまで延伸し、金属シンクの継ぎ目が無く、隙間が無いので美観が良く掃除手入れしやすい。【選択図】図１
0003208471.tif 000002
【実用新案登録請求の範囲】
【請求項１】
一種の金属シンク継ぎ目無しの流し台トラップの固定構造であり、一つの金属シンクのシンク底に一つの排水口を設け、
該排水口に一つの流し台トラップを接続し、該流し台トラップの内部に一つの階段槽を設け、該階段槽の底端に排水管と接続できる一つの排水管接続部を設け、
本考案の特徴は該金属シンクのシンク底は、該排水口の周りにシンク底の槽の壁から外向きに一つのフレームリングを一体に延伸成型し、該フレームリングの外回りに、一つの接続スリーブを套接固定し、該接続スリーブの外縁に一つの雄ねじを形成し、
該流し台トラップの階段槽の開口端は、該接続スリーブの底端と相対し、一つのフレーム設置部を形成し、該フレーム設置部の外縁に、一つの固定カバーを設け、該固定カバー内部は該接続スリーブの雄ねじと相対する一つの雌ねじを形成し、且つ該雌ねじと該接続スリーブの雄ねじと螺合することで、該流し台トラップのフレーム設置部をしっかりと該接続スリーブの底端にロックし、該フレームリング及び排水口と接続することを特徴とする金属シンク継ぎ目無しの流し台トラップの固定構造。
【請求項２】
前記該接続スリーブは該フレームリングの外回りの表面に被せて溶接固定することを特徴とする請求項１記載の金属シンク継ぎ目無しの流し台トラップの固定構造。
【請求項３】
前記該流し台トラップの階段槽の開口端のフレーム設置部に、一つの流し台バスケットを設置し、該流し台バスケットの入口端に、該フレームリングの内縁に詰めるゴミ収納蓋を設け、該ゴミ収納蓋に一つのフィルター部及び一つの蓋凹槽を形成し、該蓋凹槽にフィルター部を密閉するための流し台トラップ蓋を設けることを特徴とする請求項１記載の金属シンク継ぎ目無しの流し台トラップの固定構造。
【請求項４】
前記該接続スリーブの底端と該流し台トラップのフレーム設置部の間に、一つのガスケットを設けることを特徴とする請求項１記載の金属シンク継ぎ目無しの流し台トラップの固定構造。
【請求項５】
前記該流し台トラップのフレーム設置部は一つのフレーム体を形成し、該固定カバーは該フレーム設置部に組立て、該フレーム設置部のフレーム体の下縁に相対して該フレーム設置部の下縁を支える一つの受けリングを設けることを特徴とする請求項１記載の金属シンク継ぎ目無しの流し台トラップの固定構造。
【請求項６】
前記該固定カバーは内部に一つの雌ねじを具有するロック部品であり、該雌ねじの下縁の一部分のロック部品は、該流し台トラップのフレーム設置部の外縁と一体に接続することを特徴とする請求項１記載の金属シンク継ぎ目無しの流し台トラップの固定構造。
【考案の詳細な説明】
【技術分野】
【０００１】
本考案は一種の金属シンクのシンク底にある排水口と流し台トラップを接続することができ、且つ継ぎ目無しの構造であり、特に一種の金属シンクの美観及び掃除手入れがしやすい金属シンク継ぎ目無しの流し台トラップの固定構造に関する。
【背景技術】
【０００２】
市販されている流し台のシンクは、使用に耐え、美観或いは掃除手入れがしやすいよう、ステンレス素材を使った金属シンクが多い。金属シンクをキッチンの皿、茶碗或いは果物野菜を洗う際に使用し、排水管の詰まりを防ぐために、通常金属シンクの排水口の上に流し台トラップを接続し、且つ流し台トラップ内のフィルター部品のフィルター穴或いは網で排水の中の物を取り除く。
金属シンクの製造は、コストを考慮し、一般的に板金加工技術の成型による薄い殻(薄い壁)のシンク本体を採用する。シンク底の壁の厚みが薄いため、排水口の排水端に流し台トラップを固定しにくい。従来の流し台トラップの構造は、台湾実用新案第Ｍ３８３５９３号の「流し台のシンクの流し台トラップの改良構造」では、流し台トラップはシンク内のシンク底にある排水口から突き出す。
流し台トラップの設置縁によりシンク底の表面に止め、止水ガスケットと組み合わせると、シンク底の端にあり、一つの固定リングを利用し、流し台トラップの雄めじと螺合固定し、流し台トラップを排水口の上に固定する。該止水ガスケットの厚みに関わらず或いは止水ガスケットを組み合わずのいずれにしても、該設置縁とシンク底の表面との間に、いずれも一つの隙間が生じる。その隙間は汚れが詰まり(カビて異臭が発生する)、掃除手入れがしにくく、シンクの美観と衛生面にも影響することを鑑みて、更なる改善が必要であった。
【先行技術文献】
【特許文献】
【０００３】
【特許文献１】台湾実用新案第Ｍ３８３５９３号公報
【特許文献２】特開２０１３−１０４２０２
【考案の概要】
【考案が解決しようとする課題】
【０００４】
前記公知構造の欠点を解決するため、本考案は金属シンク継ぎ目無しの流し台トラップの固定構造を提供することを主な課題とする。
【課題を解決するための手段】
【０００５】
上述の目的を解決するために、本考案の主な目的は一種の金属シンク継ぎ目無しの流し台トラップの固定構造を提供するものであり、該金属シンクのシンク底に一つの排水口を設ける。該排水口に一つの流し台トラップを接続し、該流し台トラップの内部に一つの階段槽を設け、該階段槽の底端に排水管と接続できる一つの排水管接続部を設ける。
本考案の特徴は該金属シンクのシンク底は、該排水口の周りにシンク底の槽の壁から外向きに一つのフレームリングを一体に延伸成型する。該フレームリングの外回りに、一つの接続スリーブを套接固定し、該接続スリーブの外縁に一つの雄ねじを形成する。該流し台トラップの階段槽の開口端は、該接続スリーブの底端と相対し、一つのフレーム設置部を形成する。該フレーム設置部の外縁に、一つの固定カバーを設け、該固定カバー内部は該接続スリーブの雄ねじと相対する一つの雌ねじを形成し、且つ該雌ねじと該接続スリーブの雄ねじと螺合することで、該流し台トラップのフレーム設置部をしっかりと該接続スリーブの底端にロックし、該フレームリング及び排水口と接続する。
金属シンクのシンク底の排水口を介し、フレームリングは流し台トラップの階段槽の開口端にまで延伸した完全なる外形であるため、金属シンクのシンク底の排水口の位置表面が継ぎ目無し、或いは隙間無しの効果に達し、金属シンクの美観及び掃除手入れしやすい衛生的効果をアップする。
【０００６】
本考案の次の目的は、一種の金属シンク継ぎ目無しの流し台トラップの固定構造を提供するものであり、該接続スリーブは該フレームリングの外回りの表面に被せて溶接固定することで、接続スリーブが永久にしっかりとフレームリングと結合する。
【０００７】
本考案の更に次の目的は、一種の金属シンク継ぎ目無しの流し台トラップの固定構造を提供するものであり、該流し台トラップの階段槽の開口端のフレーム設置部に、一つの流し台バスケットを設置し、該流し台バスケットの入口端に、該フレームリングの内縁に詰めるゴミ収納蓋を設ける。
該ゴミ収納蓋に一つのフィルター部及び一つの蓋凹槽を形成し、該蓋凹槽にフィルター部を密閉するための流し台トラップ蓋を設ける。金属シンク内に水を入れる際、流し台トラップ蓋により、金属シンク内の液体が流し台トラップに落ちて排出するのを阻止することができる。
逆に、流し台トラップ蓋を開けると、金属シンク内の汚れた液体が流し台トラップを通じて排水され、ゴミ収納蓋のフィルター部及び流し台バスケットの網を利用してゴミをろ過し、排水する際に二重のろ過効果に達する。
【０００８】
本考案の別の一つの目的は、一種の金属シンク継ぎ目無しの流し台トラップの固定構造を提供するものであり、該接続スリーブの底端と該流し台トラップのフレーム設置部の間に、一つのガスケットを設ける。
固定カバーの雌ねじを該接続スリーブの雄ねじに螺合する際、該固定カバーが螺合して閉める力を介し、該フレーム設置部を連動して該ガスケットを押えることで、緊迫して止水効果を形成する。それにより流し台トラップが接続スリーブに固定し、液体が外に漏れるのを防止する効果に達する。
【０００９】
本考案のまた一つの目的は、一種の金属シンク継ぎ目無しの流し台トラップの固定構造を提供するものであり、該流し台トラップのフレーム設置部は一つのフレーム体を形成する。該固定カバーは該フレーム設置部に組立てる。該フレーム設置部のフレーム体の下縁に相対して該フレーム設置部の下縁を支える一つの受けリングを設ける。
固定カバーの雌ねじが接続スリーブの雄ねじと螺合する際、固定カバーの受けリングによって流し台トラップのフレーム設置部を牽制し、接続スリーブの底端に近づけることで、固定カバーと接続スリーブがしっかりと閉める、或いは緩める操作過程が、流し台トラップは固定カバーと共に回転しない状態でも、流し台トラップのフレーム設置部と金属シンクのフレームリングと接続或いは離すことができ、流し台トラップが金属シンクの排水口の上で組立或いは分解するのに便利である。
【００１０】
本考案の次に更なる一つの目的は、一種の金属シンク継ぎ目無しの流し台トラップの固定構造を提供するものであり、該固定カバーは内部に一つの雌ねじを具有するロック部品であり、該雌ねじの下縁の一部分のロック部品は、該流し台トラップのフレーム設置部の外縁と一体に接続することで、該流し台トラップと該固定カバーは、プラスティック材料を用いた一体射出成型にすることができ、加工製作のコストを下げることができる。
【考案の効果】
【００１１】
本考案の構造により、金属シンクのシンク底の排水口の位置表面が継ぎ目無し、或いは隙間無しの効果に達し、金属シンクの美観及び掃除手入れしやすい衛生的効果をアップする。
【図面の簡単な説明】
【００１２】
【図１】本考案の構造分解立体図である。
【図２】本考案の流し台トラップを分解した際の断面構造略図である。
【図３】本考案の組立断面構造略図である。
【図４】本考案の別の実施例の構造分解立体図である。
【図５】本考案の別の実施例の組立断面構造略図である。
【考案を実施するための形態】
【００１３】
以下、本考案の構造と特徴および効果を、最良実施例と図面を参照しながら詳細に説明する。
【実施例１】
【００１４】
本考案は金属シンク継ぎ目無しの流し台トラップの固定構造である。図１、図２及び図３に示すように、一つのステンレス金属シンク１０のシンク底１１に一つの排水口１２を設ける。該排水口１２に一つの流し台トラップ２０を接続し、該流し台トラップ２０の内部に一つの階段槽２１を設け、該階段槽２１の底端に排水管(図に未掲載)と接続できる一つの排水管接続部２２を設ける。
本考案の特徴は該金属シンク１０のシンク底１１は、該排水口１２の周りにシンク底１１の槽の壁から外向きに一つのフレームリング１３を一体に延伸成型する。該フレームリング１３の外回りに、一つの接続スリーブ３０を套接固定し、該接続スリーブ３０の外縁に一つの雄ねじ３１を形成する。該流し台トラップ２０の階段槽２１の開口端は、該接続スリーブ３０の底端と相対し、一つのフレーム設置部２３を形成する。
該フレーム設置部２３の外縁に、一つの固定カバー２４を設け、該固定カバー２４内部は該接続スリーブ３０の雄ねじ３１と相対する一つの雌ねじ２４１を形成し、且つ該雌ねじ２４１と該接続スリーブ３０の雄ねじ３１と螺合することで、該流し台トラップ２０のフレーム設置部２３をしっかりと該接続スリーブ３０の底端にロックし、該フレームリング１３及び排水口１２と接続する。
図２、図３に示すように、金属シンク１０のシンク底１１の排水口１２を介し、フレームリング１３は流し台トラップ２０の階段槽２１の開口端にまで延伸した完全なる外形であるため、金属シンク１０のシンク底１１の排水口１２の位置表面が継ぎ目無し、或いは隙間無しの効果に達し、金属シンク１０の美観及び掃除手入れしやすい衛生的効果をアップする。
【００１５】
上述の実施例に基づき、図１、図２及び図３に示すように、該接続スリーブ３０は一つのステンレス材料のサークル形状であり、該フレームリング１３の外回りの表面に被せて溶接固定することで、接続スリーブ３０が永久にしっかりとフレームリング１３と結合する。
【００１６】
上述の実施例に基づき、図１、図２及び図３に示すように、該流し台トラップ２０の階段槽２１の開口端のフレーム設置部２３に、一つの流し台バスケット４０を設置し、該流し台バスケット４０の入口端に、該フレームリング１３の内縁に詰めるゴミ収納蓋５０を設ける。
該ゴミ収納蓋５０に一つのフィルター部５１及び一つの蓋凹槽５２を形成し、該蓋凹槽５２にフィルター部５１を密閉するための流し台トラップ蓋６０を設ける。金属シンク１０内に水を入れる際(図に未掲載)、流し台トラップ蓋６０により、金属シンク１０内の液体が流し台トラップ２０に落ちて(流れて)排出するのを阻止することができる。
逆に、流し台トラップ蓋６０を開けると(図に未掲載)、金属シンク１０内の汚れた液体が流し台トラップ２０を通じて排水され、ゴミ収納蓋５０のフィルター部５１及び流し台バスケット４０の網を利用してゴミをろ過し、排水する際に二重のろ過効果に達する。
【００１７】
上述の実施例に基づき、図１、図２及び図３に示すように、該接続スリーブ３０の底端と該流し台トラップ２０のフレーム設置部２３の間に、一つのガスケット３２を設ける。固定カバー２４の雌ねじ２４１を該接続スリーブ３０の雄ねじ３１に螺合する際、該固定カバー２４が螺合して閉める力を介し、該フレーム設置部２３を連動して該ガスケット３２を押えることで、緊迫して止水効果を形成する。それにより流し台トラップ２０が接続スリーブ３０に固定し、液体が外に漏れるのを防止する効果に達する。
【００１８】
上述の実施例に基づき、図１、図２及び図３に示すように、該流し台トラップ２０のフレーム設置部２３は一つのフレーム体を形成する。該固定カバー２４は該フレーム設置部２３に組立てる。該フレーム設置部２３のフレーム体の下縁に相対して該フレーム設置部２３の下縁を支える一つの受けリング２４０を設ける。
図３に示すように、固定カバー２４の雌ねじ２４１が接続スリーブ３０の雄ねじ３１と螺合する際、固定カバー２４の受けリング２４０によって流し台トラップ２０のフレーム設置部２３を牽制し(掛合して引っ張る)、接続スリーブ３０の底端に近づけることで、固定カバー２４と接続スリーブ３０がしっかりと閉める、或いは緩める操作過程が、流し台トラップ２０は固定カバー２４と共に回転しない状態でも、流し台トラップ２０のフレーム設置部２３と金属シンク１０のフレームリング１３と接続或いは離すことができ、流し台トラップ２０が金属シンク１０の排水口１２の上で組立或いは分解するのに便利である。
【実施例２】
【００１９】
上述の実施例に基づき、図４及び図５に示すように、該固定カバー２４Ａは内部に一つの雌ねじ２４１Ａを具有するロック部品であり、該雌ねじ２４１Ａの下縁の一部分のロック部品は、該流し台トラップ２０Ａのフレーム設置部２３Ａの外縁と一体に接続することで、該流し台トラップ２０Ａと該固定カバー２４Ａは、プラスティック材料を用いた一体射出成型にすることができ、加工製作のコストを下げることができる。
【００２０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２１】
１０  金属シンク
１１  シンク底
１２  排水口
１３  フレームリング
２０、２０Ａ  流し台トラップ
２１  階段槽
２２  排水管接続部
２３  フレーム設置部
２４  固定カバー
２４０  受けリング
２４１、２４１Ａ  雌ねじ    
３０  接続スリーブ
３１  雄ねじ
３２  ガスケット
４０  流し台バスケット
５０  ゴミ収納蓋
５１  フィルター部
５２  蓋凹部
６０  流し台トラップ蓋
【図１】
0003208471.tif 000003
【図２】
0003208471.tif 000004
【図３】
0003208471.tif 000005
【図４】
0003208471.tif 000006
【図５】
0003208471.tif 000007